(57)【要約】【課題】記録再生装置において、必要な記録容量の空き領域を確保するためのデジタル情報の消去が、より利用者の期待に沿って行われるようにする。【解決手段】制御部１０６は、記録部１０３の空き容量が当該デジタル情報の記録に充分でない場合には、記録部１０３に記憶されているデジタル情報を、デジタル情報が複数種類の各再生方法で再生済みかどうかを示す再生履歴に基づく消去優先度順に消去する。【選択図】図１
2008140487.tif 000002
【特許請求の範囲】
【請求項１】
デジタル情報を記憶する記録部を備え、
上記記録部に記録されたデジタル情報の再生、および上記記録部へのデジタル情報の記録を行う記録再生装置であって、
デジタル情報を記録する際に、上記記録部の空き容量が当該デジタル情報の記録に充分でない場合、上記記録部に記憶されているデジタル情報を、デジタル情報が複数種類の各再生方法で再生済みか否かを示す再生履歴に基づく消去優先度順に消去する制御部を備えていることを特徴とする記録再生装置。
【請求項２】
請求項１の記録再生装置であって、
上記複数種類の再生方法は、通常再生およびダイジェスト再生を含み、
通常再生済みのデジタル情報の消去優先度が、通常再生済みではないがダイジェスト再生済みであるデジタル情報の消去優先度よりも高いことを特徴とする記録再生装置。  
【請求項３】
請求項２の記録再生装置であって、
消去禁止と指定されていないデジタル情報の消去優先度が、消去禁止と指定されているデジタル情報の消去優先度よりも高く、
消去禁止と指定されていないデジタル情報の間では、通常再生済みのデジタル情報の消去優先度が、通常再生済みではないがダイジェスト再生済みであるデジタル情報の消去優先度よりも高く、かつ、ダイジェスト再生済みのデジタル情報の消去優先度が、通常再生済みでもダイジェスト再生済みでもないデジタル情報の消去優先度よりも高く、
かつ、通常再生済みか否か、およびダイジェスト再生済みか否かを示す再生履歴と消去禁止の指定の有無とのいずれもが同じデジタル情報の間では、記録された記録時刻、または最後に再生された再生時刻が古い程、消去優先度が高いことを特徴とする記録再生装置。
【請求項４】
請求項１の記録再生装置であって、
上記複数種類の再生方法は、通常再生および低解像度再生を含み、
通常再生済みのデジタル情報の消去優先度が、通常再生済みではないが低解像度再生済みであるデジタル情報の消去優先度よりも高いことを特徴とする記録再生装置。
【請求項５】
請求項４の記録再生装置であって、
消去禁止と指定されていないデジタル情報の消去優先度が、消去禁止と指定されているデジタル情報の消去優先度よりも高く、
消去禁止と指定されていないデジタル情報の間では、通常再生済みのデジタル情報の消去優先度が、通常再生済みではないが低解像度再生済みであるデジタル情報の消去優先度よりも高く、かつ、低解像度再生済みのデジタル情報の消去優先度が、通常再生済みでも低解像度再生済みでもないデジタル情報の消去優先度よりも高く、
かつ、通常再生済みか否か、および低解像度再生済みか否かを示す再生履歴と消去禁止の指定の有無とのいずれもが同じデジタル情報の間では、記録された記録時刻、または最後に再生された再生時刻が古い程、消去優先度が高いことを特徴とする記録再生装置。
【請求項６】
請求項１の記録再生装置であって、
上記記録部は、記録再生装置に固定されていることを特徴とする記録再生装置。
【発明の詳細な説明】
【技術分野】
【０００１】
本発明は、固定ディスク駆動装置を搭載したハードディスクビデオレコーダ等の記録再生装置に関するものである。
【背景技術】
【０００２】
ハードディスク等の記録媒体の大容量化、低価格化、データ記録時およびデータ再生時における記録媒体へのアクセス速度の高速化、データ記録時およびデータ再生時におけるデータ伝送速度の高速化、および画像を示す動画信号や音声を示す音声信号等に対する圧縮符号化処理の高速化等、記録再生装置に関する技術が進歩してきた。これに伴い、これらの技術が用いられて、圧縮符号化されたテレビジョン番組の動画信号と音声信号とを記録し、復号して再生できる動画記録装置が開発されてきた。
【０００３】
このような動画記録装置は、ハードディスクに代表される大容量の記録媒体に、複数のテレビジョン番組の動画信号および音声信号を記録することができる。また、記録した動画信号および音声信号を、通常の再生以外に、重要度が比較的高いシーンだけを再生するダイジェスト再生や、比較的小型な低解像度画像表示装置等で再生する低解像度の再生等、多様な再生方法で再生できる。したがって、視聴者は、テレビジョン番組を多様な方法で試聴できる。
【０００４】
ところで、動画記録装置においては、記録媒体の容量に限りがあるので、新たなデータを記録するための空き容量を確保するために、すでに記録媒体に記憶されているデータを削除する必要が生じる場合がある。例えば、空き容量を確保するために、固定ディスク駆動装置に記憶されているデジタル情報を、再生済みのものから優先的に消去する記録再生装置が知られている（例えば、特許文献１参照。）。
【特許文献１】特開２００２−９３１１９号公報
【特許文献２】特開２００２−３３９８６号公報
【特許文献３】特開平９−１８６９７８号公報
【発明の開示】
【発明が解決しようとする課題】
【０００５】
しかしながら、特許文献１の記録再生装置では、再生の種類が消去優先度に反映されない。したがって、ダイジェスト再生では視聴したが通常再生では視聴していないため、まだ見ていないシーンが残っている動画よりも、すでに通常再生で視聴した動画が優先して消去されて欲しい等という利用者の期待に添うことができなかった。
【０００６】
そこで、本発明は、記録再生装置において、必要な記録容量の空き領域を確保するためのデジタル情報の消去が、より利用者の期待に沿って行われるようにすることを目的とする。
【課題を解決するための手段】
【０００７】
上記の課題を解決するため、請求項１の発明は、
デジタル情報を記憶する記録部を備え、
上記記録部に記録されたデジタル情報の再生、および上記記録部へのデジタル情報の記録を行う記録再生装置であって、
デジタル情報を記録する際に、上記記録部の空き容量が当該デジタル情報の記録に充分でない場合、上記記録部に記憶されているデジタル情報を、デジタル情報が複数種類の各再生方法で再生済みか否かを示す再生履歴に基づく消去優先度順に消去する制御部を備えていることを特徴とする。
【０００８】
請求項１の発明により、記録部に記録されているデジタル情報が、デジタル情報が複数種類の各再生方法で再生済みかどうかを示す再生履歴に基づいた順序で消去される。
【０００９】
なお、記録部は、例えば、固定ディスク駆動装置、記録再生装置に固定された半導体メモリ等で構成される。
【００１０】
また、請求項２の発明は、
請求項１の記録再生装置であって、
上記複数種類の再生方法は、通常再生およびダイジェスト再生を含み、
通常再生済みのデジタル情報の消去優先度が、通常再生済みではないがダイジェスト再生済みであるデジタル情報の消去優先度よりも高いことを特徴とする。
【００１１】
請求項２の発明により、通常再生済みのデジタル情報が、通常再生済みではないがダイジェスト再生済みであるデジタル情報よりも優先的に消去される。
【００１２】
また、請求項３の発明は、
請求項２の記録再生装置であって、
消去禁止と指定されていないデジタル情報の消去優先度が、消去禁止と指定されているデジタル情報の消去優先度よりも高く、
消去禁止と指定されていないデジタル情報の間では、通常再生済みのデジタル情報の消去優先度が、通常再生済みではないがダイジェスト再生済みであるデジタル情報の消去優先度よりも高く、かつ、ダイジェスト再生済みのデジタル情報の消去優先度が、通常再生済みでもダイジェスト再生済みでもないデジタル情報の消去優先度よりも高く、
かつ、通常再生済みか否か、およびダイジェスト再生済みか否かを示す再生履歴と消去禁止の指定の有無とのいずれもが同じデジタル情報の間では、記録された記録時刻、または最後に再生された再生時刻が古い程、消去優先度が高いことを特徴とする。
【００１３】
請求項３の発明により、消去禁止と指定されていないデジタル情報が、消去禁止と指定されているデジタル情報よりも優先的に消去される。また、消去禁止と指定されていないデジタル情報の間では、通常再生済みのデジタル情報が、通常再生済みではないがダイジェスト再生済みであるデジタル情報よりも優先的に消去され、かつ、ダイジェスト再生済みのデジタル情報が、通常再生済みでもダイジェスト再生済みでもないデジタル情報よりも優先的に消去される。また、通常再生済みかどうか、およびダイジェスト再生済みかどうかを示す再生履歴と消去禁止の指定の有無とが同じデジタル情報の間では、記録された記録時刻、または最後に再生された再生時刻が古いものから順に消去される。
【００１４】
また、請求項４の発明は、
請求項１の記録再生装置であって、
上記複数種類の再生方法は、通常再生および低解像度再生を含み、
通常再生済みのデジタル情報の消去優先度が、通常再生済みではないが低解像度再生済みであるデジタル情報の消去優先度よりも高いことを特徴とする。
【００１５】
請求項４の発明により、通常再生済みのデジタル情報が、通常再生済みではないが低解像度再生済みであるデジタル情報よりも優先的に消去される。
【００１６】
また、請求項５の発明は、
請求項４の記録再生装置であって、
消去禁止と指定されていないデジタル情報の消去優先度が、消去禁止と指定されているデジタル情報の消去優先度よりも高く、
消去禁止と指定されていないデジタル情報の間では、通常再生済みのデジタル情報の消去優先度が、通常再生済みではないが低解像度再生済みであるデジタル情報の消去優先度よりも高く、かつ、低解像度再生済みのデジタル情報の消去優先度が、通常再生済みでも低解像度再生済みでもないデジタル情報の消去優先度よりも高く、
かつ、通常再生済みか否か、および低解像度再生済みか否かを示す再生履歴と消去禁止の指定の有無とのいずれもが同じデジタル情報の間では、記録された記録時刻、または最後に再生された再生時刻が古い程、消去優先度が高いことを特徴とする。
【００１７】
請求項５の発明により、消去禁止と指定されていないデジタル情報が、消去禁止と指定されているデジタル情報よりも優先的に消去される。また、消去禁止と指定されていないデジタル情報の間では、通常再生済みのデジタル情報が、通常再生済みではないが低解像度再生済みであるデジタル情報よりも優先的に消去され、かつ、低解像度再生済みのデジタル情報が、通常再生済みでも低解像度再生済みでもないデジタル情報よりも優先的に消去される。また、通常再生済みかどうか、および低解像度再生済みかどうかを示す再生履歴と消去禁止の指定の有無とが同じデジタル情報の間では、記録された記録時刻、または最後に再生された再生時刻が古いものから順に消去される。
【００１８】
また、請求項６の発明は、
請求項１の記録再生装置であって、
上記記録部は、記録再生装置に固定されていることを特徴とする。
【発明の効果】
【００１９】
本発明によると、記録再生装置において、必要な記録容量の空き領域を確保するためのデジタル情報の消去が、より利用者の期待に沿って行われる。
【発明を実施するための最良の形態】
【００２０】
以下、本発明の実施形態について、図面を参照して説明する。なお、以下の各実施形態において、他の実施形態と同様の機能を有する構成要素については同一の符号を付し、共通の機能については説明を省略する。
【００２１】
《実施形態１》
本発明の実施形態１に係る記録再生装置は、図１に示すように、アンテナ部１００、チューナー部１０１、動画エンジン部１０２、動画格納媒体１０３ａを有する固定ディスク駆動装置１０３（記録媒体）、モニター部１０４、操作部１０５、制御部１０６、および表示部１０７を備えている。なお、固定ディスク装置１０３は、記録再生装置に固定されている。
【００２２】
動画エンジン部１０２は、制御部１０６による通常再生指示に応じて、動画を、動画格納媒体１０３ａから読み出して通常再生し、モニター部１０４に表示する。また、制御部１０６によるダイジェスト再生指示に応じて、動画を、動画格納媒体１０３ａから読み出して、通常再生で再生される動画のうち、一部の記録時間に対応する動画を再生するダイジェスト再生を行い、モニター部１０４に表示する。さらに、制御部１０６による録画指示に応じて、チューナー部１０１から送られる動画を、動画格納媒体１０３ａに記録する。
【００２３】
動画格納媒体１０３ａは、動画及び管理テーブルを格納（記憶）する。格納されたデータ内容は制御部１０６によって管理される。
【００２４】
図２は、動画格納媒体１０３ａに動画と共に格納される管理テーブルの例を示す説明図である。格納済みのｎ個の各動画に関して、動画番号＃ｉ（ｉ＝１〜ｎ）、記録時間、記録年月日・時刻、消去禁止設定フラグ、通常再生済フラグ、ダイジェスト再生済フラグが記録される。ここで、各動画は、例えば、１つの番組の始めから終わりまでの映像情報および音声情報を意味する。消去禁止設定フラグは、動画に消去禁止の設定（指定）がされている場合、立ち上がった状態となり、消去禁止の設定（指定）がされていない場合、立ち上がっていない状態となる。通常再生済フラグは、動画が所定時間以上通常再生されたかどうかを示すフラグである。ダイジェスト再生済フラグは、動画が所定時間以上ダイジェスト再生されたかどうかを示すフラグである。動画番号は対応する動画を示し、記録時間は、動画が記録されるのにかかった時間の長さを示し、記録年月日・時刻は動画の記録が開始された年月日・時刻を示す。なお、管理テーブルは、固定ディスク駆動装置ではなく、フラッシュメモリ等の不揮発性記憶装置に、動画とは別に記憶されるようにしてもよい。
【００２５】
操作部１０５は、制御部１０６に対して、録画指示、通常再生指示、ダイジェスト再生指示、録画の保護の指示、および録画の保護解除の指示を行う。
【００２６】
制御部１０６は、操作部１０５の指示に応じて、動画エンジン部１０２、固定ディスク駆動装置１０３、および表示部１０７を制御する。制御部１０６の機能は、具体的には、例えば、ＣＰＵ（Ｃｅｎｔｒａｌ Ｐｒｏｃｅｓｓｉｎｇ Ｕｎｉｔ）によって実現される。
【００２７】
以下、制御部１０６の制御動作について説明する。
【００２８】
（録画時の制御部１０６の動作）
制御部１０６は、操作部１０５より録画指示が行われると、動画格納媒体１０３ａに格納された管理テーブルを参照しながら記録済みの動画を消去することによって、録画に必要な空き容量を動画格納媒体１０３ａ上に確保する。ここで、制御部１０６には、操作部１０５より、新たに録画する動画の録画時間が入力される。制御部１０６は、この録画時間に基づいて、録画に必要な空き容量を算出する。また、管理テーブルに基づいて動画の消去優先度の順位を決定する。本実施形態の記録再生装置においては、通常再生済みの動画の消去優先度が、通常再生済みではないがダイジェスト再生済みである動画の消去優先度よりも高く、ダイジェスト再生済みの動画の消去優先度が、通常再生済みでもダイジェスト再生済みでもない動画の消去優先度よりも高い。また、消去禁止と指定された動画は、消去されないようになっている。つまり、消去禁止と指定された動画の消去優先度は最下位になっている。 
【００２９】
以下、操作部１０５より録画指示を受けた場合の制御部１０６の詳細な動作について、図３を参照して説明する。
【００３０】
（Ｓ３０１）制御部１０６は、新たに録画する動画の録画時間に基づいて、録画に必要な空き容量を算出する。そして、算出した空き容量を動画格納媒体１０３ａの空き容量と比較することによって、動画格納媒体１０３ａの空き容量がその動画を記録するのに充分であるか否かを判断する。充分な場合、つまり動画格納媒体１０３ａの空き容量が算出した空き容量よりも大きい場合には（Ｓ３０８）に進み、充分でない場合、つまり動画格納媒体１０３ａの空き容量が算出した空き容量よりも小さい場合には（Ｓ３０２）に進む。
【００３１】
（Ｓ３０２）制御部１０６は、管理テーブルを参照して、「通常再生済みフラグ」が立ち、かつ「消去禁止フラグ」が立っていない動画の有無を判断する。該当する動画が存在する場合には（Ｓ３０３）に進み、存在しない場合には（Ｓ３０４）に進む。
【００３２】
（Ｓ３０３）制御部１０６は、動画格納媒体１０３ａから、「通常再生済みフラグ」が立ち、かつ「消去禁止フラグ」が立っていない動画のうちで最も記録年月日・時刻が古い動画を１つ削除するとともに、削除した動画に対応する情報を管理テーブルから削除する。そして、（Ｓ３０１）に戻る。
【００３３】
（Ｓ３０４）制御部１０６は、管理テーブルを参照して、「ダイジェスト再生済みフラグ」が立ち、かつ「消去禁止フラグ」が立っていない動画の有無を判断する。該当する動画が存在する場合には（Ｓ３０５）に進み、存在しない場合には（Ｓ３０６）に進む。
【００３４】
（Ｓ３０５）制御部１０６は、動画格納媒体１０３ａから、「ダイジェスト再生済みフラグ」が立ち、かつ「消去禁止フラグ」が立っていない動画のうちで最も記録年月日・時刻が古い動画を１つ削除するとともに、削除した動画に対応する情報を管理テーブルから削除する。そして、（Ｓ３０１）に戻る。
【００３５】
（Ｓ３０６）制御部１０６は、管理テーブルを参照して、「消去禁止フラグ」が立っていない動画の有無を判断する。該当する動画が存在する場合には（Ｓ３０７）に進み、存在しない場合には（Ｓ３０９）に進む。
【００３６】
（Ｓ３０７）制御部１０６は、「消去禁止フラグ」が立っていない動画のうちで最も記録年月日・時刻が古い動画を１つ削除するとともに、削除した動画に対応する情報を管理テーブルから削除する。そして、（Ｓ３０１）に戻る。
【００３７】
（Ｓ３０８）空き容量確保に成功しているので、制御部１０６は、動画エンジン部１０２に動画の録画を指示する。これにより、動画エンジン部１０２は、チューナー部１０１から送られる動画を、動画格納媒体１０３ａに書き込む。また、制御部１０６は、この指示とともに、管理テーブルに、録画した動画に対応する動画番号、記録時間、記録年月日・時刻等の情報を追加する。この時、今回新たに録画した動画の消去禁止フラグ、通常再生済フラグ、およびダイジェスト再生済フラグはいずれも立っていない状態になる。
【００３８】
制御部１０６は、録画の開始から操作部１０５により入力された録画時間が経過すると、動画エンジン部１０２に動画の書き込み終了を指示し、録画動作を終了する。
【００３９】
（Ｓ３０９）制御部１０６は、空き容量確保に失敗したことを示す表示を、表示部１０７に表示し、録画動作を終了する。
【００４０】
（通常再生時の制御部１０６の動作）
また、制御部１０６は、操作部１０５より通常再生指示が行われると、動画エンジン部１０２に所望の動画の通常再生を指示する。これにより、動画エンジン部１０２は、所望の動画を動画格納媒体１０３ａから読み出して通常再生し、モニター部１０４に表示する。その際、動画が、その動画の記録時間の５割を超える時間、通常再生された場合に、その動画を「通常再生済み」に該当するものとして取り扱う。
【００４１】
以下、通常再生中の制御部１０６の動作について図４を参照して説明する。
【００４２】
（Ｓ４０１）制御部１０６は、操作部１０５より再生終了指示が行われたか否かを判断し、指示があれば処理を終了する。指示がない場合は（Ｓ４０２）に進む。
【００４３】
（Ｓ４０２）制御部１０６は、再生中の動画の記録時間と通常再生された（通常再生済みの）時間とを比較して、通常再生された時間が動画の記録時間の半分より長いかどうかを判定する。通常再生された時間が動画の記録時間の半分より長い場合は（Ｓ４０３）に進み、短い場合は（Ｓ４０１）に戻る。
【００４４】
（Ｓ４０３）制御部１０６は、管理テーブルにおける、再生中の動画に関連付けられた通常再生済フラグを立てる。そして、（Ｓ４０１）に戻る。
【００４５】
（ダイジェスト再生時の制御部１０６の動作）
また、制御部１０６は、操作部１０５よりダイジェスト再生指示が行われると、動画エンジン部１０２に所望の動画のダイジェスト再生を指示する。これにより、動画エンジン部１０２は、所望の動画を動画格納媒体１０３ａから読み出してダイジェスト再生し、モニター部１０４に表示する。その際、当該動画をダイジェスト再生するのにかかる時間は、当該動画を通常再生するのにかかる時間の一定割合、例えば、１０％であるとする。また、当該動画が、当該動画をダイジェスト再生するのにかかる時間の５割を超える時間、ダイジェスト再生された場合に、当該動画を「ダイジェスト再生済み」に該当するものとして取り扱う。
【００４６】
以下、ダイジェスト再生中の制御部１０６の詳細な動作について図５を参照して説明する。
【００４７】
（Ｓ５０１）制御部１０６は、操作部１０５より再生終了指示が行われたか否かを判断し、指示があれば処理を終了する。指示がない場合は（Ｓ５０２）に進む。
【００４８】
（Ｓ５０２）制御部１０６は、再生中の動画をダイジェスト再生するのにかかる時間の半分、つまり当該動画の記録時間の５％とダイジェスト再生された（ダイジェスト再生済みの）時間とを比較して、ダイジェスト再生された時間が記録時間の５％より長いかどうかを判定する。ダイジェスト再生された時間が記録時間の５％より長い場合は（Ｓ５０３）に進み、短い場合は（Ｓ５０１）に戻る。
【００４９】
（Ｓ５０３）制御部１０６は、管理テーブルにおける、再生中の動画に関連付けられたダイジェスト再生済フラグを立てる。そして、（Ｓ５０１）に戻る。
【００５０】
（制御部１０６による録画に対する消去禁止設定および設定の解除）
また、制御部１０６は、操作部１０５より録画の保護の指示が行われると、管理テーブルにおける、所望の録画に関連付けられた消去禁止フラグを立てる。このように消去禁止と設定された録画は、設定が解除されるまで消去されない。
【００５１】
また、制御部１０６は、操作部１０５より録画の保護解除の指示が行われると、管理テーブルにおける、所望の録画に関連付けられた消去禁止フラグを下げる。このように消去禁止の設定が解除された録画は、再び消去の対象となる。
【００５２】
本実施形態の記録再生装置は、新たな動画を記録するのに必要な空き容量を自動的に確保するので、動画格納媒体１０３ａの記録容量が有効に利用されるとともに、ユーザの消去操作の負担が小さい。
【００５３】
なお、本実施形態では、動画がダイジェスト再生されるのにかかる時間は、その動画を通常再生するのにかかる時間の１０％であったが、１０％以外の割合でもよい。また、動画がダイジェスト再生されるのにかかる時間が、利用者によって自由に指定されるようにしても良い。
【００５４】
また、本実施形態では、制御部１０６は、再生中の動画が、動画がダイジェスト再生されるのにかかる時間の５割を越える時間、ダイジェスト再生された場合に、その動画を「ダイジェスト再生済」に該当するものとして取り扱うようになっている。しかし、５割以外の任意の割合（率）を基準として、動画を「ダイジェスト再生済み」と扱うかどうかを決めるようにしてもよい。また、各動画が記録時間の一定割合以上ダイジェスト再生されたかどうかではなく、一定の時間以上ダイジェスト再生されたかどうかを判断することによって、動画を「ダイジェスト再生済み」として扱うかどうかを決めるようにしてもよい。更には、一定割合以上ダイジェスト再生されたかどうか、および一定の時間以上ダイジェスト再生されたかどうかの両方を判断し、判断結果の組合せによって、動画を「ダイジェスト再生済み」として扱うかどうかを決めるようにしてもよい。例えば、再生中の動画が、一定割合以上ダイジェスト再生され、かつ一定の時間以上ダイジェスト再生されたものである場合に、その動画を「ダイジェスト再生済み」として扱うようにしてもよい。
【００５５】
《実施形態２》
本発明の実施形態２に係る記録再生装置は、図６に示すように、アンテナ部１００、チューナー部１０１、動画エンジン部２０２、動画格納媒体２０３ａを有する固定ディスク駆動装置２０３、モニター部１０４、操作部２０５、制御部２０６、表示部１０７、および低解像度モニター部２０８を備えている。
【００５６】
動画エンジン部２０２は、制御部２０６による通常再生指示に応じて、動画を、動画格納媒体２０３ａから読み出して通常再生し、モニター部１０４に表示する。また、制御部２０６による低解像度再生指示に応じて、動画を、動画格納媒体２０３ａから読み出して、通常再生より低い解像度で低解像度再生し、低解像度モニター部２０８に表示する。さらに、制御部２０６による録画指示に応じて、チューナー部１０１から送られる動画を、動画格納媒体２０３ａに記録する。
【００５７】
動画格納媒体２０３ａは、動画及び管理テーブルを格納する。
【００５８】
図７は、動画格納媒体２０３ａに動画と共に格納される管理テーブルの構成を示す説明図である。格納済みのｎ個の各動画に関して、動画番号＃ｉ（ｉ＝１〜ｎ）、記録時間、記録年月日・時刻、消去禁止設定フラグ、通常再生済フラグ、低解像度再生済フラグが記録される。ここで、各動画は、例えば、１つの番組の始めから終わりまでの映像情報および音声情報を意味する。消去禁止設定フラグは、動画に消去禁止の設定（指定）がされている場合、立ち上がった状態となり、消去禁止の設定（指定）がされていない場合、立ち上がっていない状態となる。通常再生済フラグは、動画が所定時間以上通常再生されたかどうかを示すフラグである。低解像度再生済フラグは、動画が所定時間以上低解像度再生されたかどうかを示すフラグである。動画番号は対応する動画を示し、記録時間は、動画が記録されるのにかかった時間の長さを示し、記録年月日・時刻は動画の記録が開始された年月日・時刻を示す。なお、管理テーブルは、固定ディスク駆動装置ではなく、フラッシュメモリ等の不揮発性記憶装置に、動画とは別に記憶されるようにしてもよい。
【００５９】
操作部２０５は、制御部２０６に対して、録画指示、通常再生指示、低解像度再生指示、録画の保護の指示、および録画の保護解除の指示を行う。
【００６０】
制御部２０６は、操作部２０５の指示に応じて、動画エンジン部２０２、固定ディスク駆動装置２０３、および表示部１０７を制御する。制御動作については、後に詳述する。制御部２０６の機能は、具体的には、例えば、ＣＰＵ（Ｃｅｎｔｒａｌ Ｐｒｏｃｅｓｓｉｎｇ Ｕｎｉｔ）によって実現される。
【００６１】
低解像度モニター部２０８は、モニター部１０４より低い解像度での表示を行うモニター部である。
【００６２】
以下、制御部２０６の制御動作について説明する。
【００６３】
（録画時の制御部２０６の動作）
制御部２０６は、操作部２０５より録画指示が行われると、動画格納媒体２０３ａに格納された管理テーブルを参照しながら記録済みの動画を消去することによって、録画に必要な空き容量を動画格納媒体２０３ａ上に確保する。ここで、制御部２０６には、操作部２０５より、新たに録画する動画の録画時間が入力される。制御部２０６は、この録画時間に基づいて、録画に必要な空き容量を算出する。また、管理テーブルに基づいて動画の消去優先度の順位を決定する。本実施形態の記録再生装置においては、通常再生済みの動画の消去優先度が、通常再生済みではないが低解像度再生済みである動画の消去優先度よりも高く、低解像度再生済みの動画の消去優先度が、通常再生済みでも低解像度再生済みでもない動画の消去優先度よりも高い。また、消去禁止と指定された動画は、消去されないようになっている。つまり、消去禁止と指定された動画の消去優先度は最下位になっている。
【００６４】
以下、操作部２０５より録画指示を受けた場合の制御部２０６の詳細な動作について、図８を参照して説明する。
【００６５】
（Ｓ８０１）制御部２０６は、新たに録画する動画の録画時間に基づいて、録画に必要な空き容量を算出する。そして、算出した空き容量を動画格納媒体２０３ａの空き容量と比較することによって、動画格納媒体２０３ａの空き容量がその動画を記録するのに充分であるか否かを判断する。充分な場合、つまり動画格納媒体２０３ａの空き容量が算出した空き容量よりも大きい場合には（Ｓ８０８）に進み、充分でない場合、つまり動画格納媒体２０３ａの空き容量が算出した空き容量よりも小さい場合には（Ｓ８０２）に進む。
【００６６】
（Ｓ８０２）制御部２０６は、管理テーブルを参照して、「通常再生済みフラグ」が立ち、かつ「消去禁止フラグ」が立っていない動画の有無を判断する。該当する動画が存在する場合には（Ｓ８０３）に進み、存在しない場合には（Ｓ８０４）に進む。
【００６７】
（Ｓ８０３）制御部２０６は、動画格納媒体２０３ａから、「通常再生済みフラグ」が立ち、かつ「消去禁止フラグ」が立っていない動画のうちで最も記録年月日・時刻が古い動画を１つ削除するとともに、削除した動画に対応する情報を管理テーブルから削除する。そして、（Ｓ８０１）に戻る。
【００６８】
（Ｓ８０４）制御部２０６は、管理テーブルを参照して、「低解像度再生済みフラグ」が立ち、かつ「消去禁止フラグ」が立っていない動画の有無を判断する。該当する動画が存在する場合には（Ｓ８０５）に進み、存在しない場合には（Ｓ８０６）に進む。
【００６９】
（Ｓ８０５）制御部２０６は、動画格納媒体２０３ａから、「低解像度再生済みフラグ」が立ち、かつ「消去禁止フラグ」が立っていない動画のうちで最も記録年月日・時刻が古い動画を１つ削除するとともに、削除した動画に対応する情報を管理テーブルから削除する。そして、（Ｓ８０１）に戻る。
【００７０】
（Ｓ８０６）制御部２０６は、管理テーブルを参照して、「消去禁止フラグ」が立っていない動画の有無を判断する。該当する動画が存在する場合には（Ｓ８０７）に進み、存在しない場合には（Ｓ８０９）に進む。
【００７１】
（Ｓ８０７）制御部２０６は、「消去禁止フラグ」が立っていない動画のうちで最も記録年月日・時刻が古い動画を１つ削除するとともに、削除した動画に対応する情報を管理テーブルから削除する。そして、（Ｓ８０１）に戻る。
【００７２】
（Ｓ８０８）空き容量確保に成功しているので、制御部２０６は、動画エンジン部２０２に動画の録画を指示する。これにより、動画エンジン部２０２は、チューナー部１０１から送られる動画を、動画格納媒体２０３ａに書き込む。また、制御部２０６は、この指示とともに、管理テーブルに、録画した動画に対応する動画番号、記録時間、記録年月日・時刻等の情報を追加する。この時、今回新たに録画した動画の消去禁止フラグ、通常再生済フラグ、および低解像度再生済フラグはいずれも立っていない状態になる。
【００７３】
制御部２０６は、録画の開始から操作部２０５により入力された録画時間が経過すると、動画エンジン部２０２に動画の書き込み終了を指示し、録画動作を終了する。
【００７４】
（Ｓ８０９）制御部２０６は、空き容量確保に失敗したことを示す表示を、表示部１０７に表示し、録画動作を終了する。
【００７５】
（通常再生時の制御部２０６の動作）
また、制御部２０６は、操作部２０５より通常再生指示が行われると、動画エンジン部２０２に所望の動画の通常再生を指示する。これにより、動画エンジン部２０２は、所望の動画を動画格納媒体２０３ａから読み出して通常再生し、モニター部１０４に表示する。その際、動画が、その動画の記録時間の５割を超える時間、通常再生された場合に、その動画を「通常再生済み」に該当するものとして取り扱う。
【００７６】
以下、通常再生中の制御部２０６の動作について図４を参照して説明する。
【００７７】
（Ｓ４０１）制御部２０６は、操作部２０５より再生終了指示が行われたか否かを判断し、指示があれば処理を終了する。指示がない場合は（Ｓ４０２）に進む。
【００７８】
（Ｓ４０２）制御部２０６は、再生中の動画の記録時間と通常再生された（通常再生済みの）時間とを比較して、通常再生された時間が動画の記録時間の半分より長いかどうかを判定する。通常再生された時間が動画の記録時間の半分より長い場合は（Ｓ４０３）に進み、短い場合は（Ｓ４０１）に戻る。
【００７９】
（Ｓ４０３）制御部２０６は、管理テーブルにおける、再生中の動画に関連付けられた通常再生済フラグを立てる。そして、（Ｓ４０１）に戻る。
【００８０】
（低解像度再生時の制御部２０６の動作）
また、制御部２０６は、操作部２０５より低解像度再生指示が行われると、動画エンジン部２０２に所望の動画の低解像度再生を指示する。これにより、動画エンジン部２０２は、所望の動画を動画格納媒体２０３ａから読み出して低解像度再生し、低解像度モニター部２０８に表示する。その際、動画が、その動画の記録時間の５割を超える時間、低解像度再生された場合に、その動画を「低解像度再生済み」に該当するものとして取り扱う。
【００８１】
以下、低解像度再生中の制御部２０６の詳細な動作について図９を参照して説明する。
【００８２】
（Ｓ９０１）制御部２０６は、操作部２０５より再生終了指示が行われたか否かを判断し、指示があれば処理を終了する。指示がない場合は（Ｓ９０２）に進む。
【００８３】
（Ｓ９０２）制御部２０６は、再生中の動画の記録時間と低解像度再生された（低解像度再生済みの）時間とを比較して、低解像度再生された時間が動画の記録時間の半分より長いかどうかを判定する。低解像度再生された時間が動画の記録時間の半分より長い場合は（Ｓ９０３）に進み、短い場合は（Ｓ９０１）に戻る。
【００８４】
（Ｓ９０３）制御部２０６は、管理テーブルにおける、再生中の動画に関連付けられた低解像度再生済フラグを立てる。そして、（Ｓ９０１）に戻る。
【００８５】
（制御部２０６による録画に対する消去禁止設定および設定の解除）
また、制御部２０６は、操作部２０５より録画の保護の指示が行われると、管理テーブルにおける、所望の録画に関連付けられた消去禁止フラグを立てる。このように消去禁止と設定された録画は、設定が解除されるまで消去されない。
【００８６】
また、制御部２０６は、操作部２０５より録画の保護解除の指示が行われると、管理テーブルにおける、所望の録画に関連付けられた消去禁止フラグを下げる。このように消去禁止の設定が解除された録画は、再び消去の対象となる。
【００８７】
本実施形態の記録再生装置は、低解像度再生では視聴したが通常再生では視聴していない動画よりも、すでに通常再生で視聴した動画が優先して削除されて欲しいという利用者の期待に添って録画を消去できる。
【００８８】
また、本実施形態の記録再生装置は、新たな動画を記録するのに必要な空き容量を自動的に確保するので、動画格納媒体２０３ａの記録容量が有効に利用されるとともに、ユーザの消去操作の負担が小さい。
【００８９】
また、上記実施形態１、２の記録再生装置においては、動画を記憶する記録部が装置に固定されているので、記録部の交換が容易でない。したがって、記録領域の容量が制限されている場合に記録容量を有効に利用することが特に重要となる。
【００９０】
《その他の実施形態》
なお、上記実施形態１、２では、制御部１０６、２０６は、再生中の動画が記録時間の５割を越える時間、通常再生または低解像度再生された場合に、その動画を「通常再生済み」または「低解像度再生済み」に該当するものとして取り扱うようになっている。しかし、５割以外の任意の割合（率）を基準として、動画を「再生済み」と扱うかどうかを決めるようにしてもよい。また、各動画が記録時間の一定割合以上再生されたかどうかではなく、一定の時間以上再生されたかどうかを判断することによって、動画を「再生済み」として扱うかどうかを決めるようにしてもよい。更には、一定割合以上再生されたかどうか、および一定の時間以上再生されたかどうかの両方を判断し、判断結果の組合せによって、動画を「再生済み」として扱うかどうかを決めるようにしてもよい。例えば、再生中の動画が、一定割合以上再生され、かつ一定の時間以上再生された場合に、その動画を「再生済み」として扱うようにしてもよい。
【００９１】
また、上記実施形態１、２の記録再生装置では、通常再生、およびダイジェスト再生の再生履歴、または、通常再生、および低解像度再生の再生履歴に基づく消去優先度順に、動画が消去されるようになっていた。しかし、ダイジェスト再生および低解像度再生に限らず、それら以外の再生方法の再生履歴に基づく順序で、動画が消去されるようにしてもよい。
【００９２】
また、上記実施形態１、２の記録再生装置では、図３の（Ｓ３０３）と（Ｓ３０５）と（Ｓ３０７）、および図８の（Ｓ８０３）と（Ｓ８０５）と（Ｓ８０７）において、記録された時刻が最も古い（早い）動画が消去されるようになっていた。しかし、管理テーブルに最後に再生された再生年月日・時刻が記録されるようにし、その再生年月日・時刻が最も古い（早い）動画が消去されるようにしてもよい。
【００９３】
また、上記実施形態１、２の記録再生装置は、映像情報および音声情報を記録再生するようになっていた。しかし、本発明は、いずれか一方だけを記録再生する装置や、その他のデジタル情報を記録再生する装置にも適用できる。
【００９４】
また、上記実施形態１、２の記録再生装置では、動画を記憶させるのに、固定ディスク駆動装置が用いられていたが、固定ディスク駆動装置以外の種類の記録部が用いられてもよい。例えば、記録再生装置に固定された半導体メモリが用いられてもよい。また、記録再生装置に固定されていない記録部が用いられてもよい。
【産業上の利用可能性】
【００９５】
本発明に係る記録再生装置は、記録再生装置において、必要な記録容量の空き領域を確保するためのデジタル情報の消去が、より利用者の期待に沿って行われるという効果を有し、例えば、固定ディスク駆動装置等の記録部を搭載したハードディスクビデオレコーダ等として有用である。
【図面の簡単な説明】
【００９６】
【図１】本発明の実施形態１に係る記録再生装置の構成を示すブロック図である。
【図２】同、動画格納媒体１０３ａに動画と共に格納される管理テーブルの構成例を示す説明図である。
【図３】同、操作部１０５より録画指示を受けた場合の制御部１０６の動作の例を示すフローチャートである。
【図４】本発明の実施形態１に係る通常再生中の制御部１０６の動作、および本発明の実施形態２に係る通常再生中の制御部２０６の動作の例を示すフローチャートである。
【図５】同、ダイジェスト再生中の制御部１０６の動作の例を示すフローチャートである。
【図６】本発明の実施形態２に係る記録再生装置の構成を示すブロック図である。
【図７】同、動画格納媒体２０３ａに動画と共に格納される管理テーブルの構成例を示す説明図である。
【図８】同、操作部２０５より録画指示を受けた場合の制御部２０６の動作の例を示すフローチャートである。
【図９】同、低解像度再生中の制御部２０６の動作の例を示すフローチャートである。
【符号の説明】
【００９７】
１００      アンテナ部
１０１      チューナー部
１０２      動画エンジン部
１０３      固定ディスク駆動装置
１０３ａ    動画格納媒体
１０４      モニター部
１０５      操作部
１０６      制御部
１０７      表示部
２０２      動画エンジン部
２０３      固定ディスク駆動装置
２０３ａ    動画格納媒体
２０５      操作部
２０６      制御部
２０８      低解像度モニター部
【図１】
2008140487.tif 000003
【図２】
2008140487.tif 000004
【図３】
2008140487.tif 000005
【図４】
2008140487.tif 000006
【図５】
2008140487.tif 000007
【図６】
2008140487.tif 000008
【図７】
2008140487.tif 000009
【図８】
2008140487.tif 000010
【図９】
2008140487.tif 000011